(57)【要約】      （修正有）【課題】容器本体口元と有底筒体との気密性及び嵌合性に優れ、有底筒体の着脱を極めてスムーズに行うことができる携帯用飲料容器を提供する。【解決手段】内筒２と外筒３とからなる真空二重瓶の容器本体１ａと、弾性材料からなる外環状パッキン９を有する有底筒体４と、口元を覆って容器本体口元外側に螺着する蓋体５とを備える。外環状パッキン９は、下部外周壁に下向きに環状舌片９ｃと、上部外周壁に横向き二つの環状突出舌片９ａ、９ｂとを設け、有底筒体４を容器本体１ａ口元に嵌め込んだ状態で、環状舌片９ｃが内筒２の内筒上方傾斜部２ｄに、下方の環状突出舌片９ｂが内筒の内向環状突起６の下側の内筒垂直部２ｅに、上方の環状突出舌片９ａが内向環状突起６の上側の内筒垂直部２ｅに、弾性変形して接触する。【選択図】図５
0003171801.tif 000002
【実用新案登録請求の範囲】
【請求項１】
内筒（２）と外筒（３）とからる真空二重瓶の容器本体（１ａ）と、容器本体（１ａ）の口元内側に装着し、かつ下部外周に弾性材料からなる外環状パッキン（９）を有する有底筒体（４）と、容器本体の口元を覆って容器本体口元外側に螺着する蓋体（５）とを備え、内筒（２）が有底の内筒胴体（２ａ）と、この内筒胴体（２ａ）上端の内筒下方傾斜部（２ｂ）と、内筒下方傾斜部上端の内筒最小径部（２ｃ）と、内筒最小径部上端の内筒上方傾斜部（２ｄ）と、内筒上方傾斜部上端の内筒垂直部（２ｅ）と、内筒垂直部下部に設けた内向環状突起（６）とを備え、有底筒体（４）が容器本体口元上方に配設される突出部（４ａ）と、突出部下方の垂下部（４ｃ）と、垂下部の外周壁で外環状パッキン（９）を支える環状突部（４ｂ）と、有底筒体の底となり、かつ内壁周りに適宜の間隔を隔てて環状に配設した複数の飲み口（１０）、（１０）を有する底板部（４ｄ）とを備えた携帯用飲料容器（１）であって、
上記外環状パッキン（９）は、下部外周壁に斜め内側の下向きに環状舌片（９ｃ）と、この環状舌片の上方で上部外周壁に横向きで上下に間隔を隔てた二つの環状突出舌片（９ａ）、（９ｂ）とを設け、有底筒体（４）を容器本体（１ａ）口元に嵌め込んだ状態で、環状舌片（９ｃ）が内筒（２）の内筒上方傾斜部（２ｄ）に弾性変形して接触し、二つの環状突出舌片（９ａ）、（９ｂ）の下方の環状突出舌片（９ｂ）が内筒の内向環状突起（６）を飛び越えてその下側の内筒垂直部（２ｅ）に弾性変形して接触し、上方の環状突出舌片（９ａ）が内向環状突起（６）の上側の内筒垂直部（２ｅ）に弾性変形して接触することを特徴とする携帯用飲料容器。
【考案の詳細な説明】
【技術分野】
【０００１】
本考案は、コップに注ぐことなく直飲み可能な金属製真空二重瓶の携帯用飲料容器に関するものである。
【背景技術】
【０００２】
従来、金属製真空二重瓶の容器本体を設け、この容器本体の口元内側を覆い、容器本体の口元内側の環状突起を飛び越える複数の突起片を備え、かつ複数の飲み口を有する有底筒体を設け、この有底筒体の上面を覆い、容器本体の口元に着脱自在に螺着する容器蓋を設け、容器本体内の飲料を飲む際、容器蓋のみを離脱し、直接環状体に口をつけ直飲みできる構造の携帯用飲料容器が既に実用登録第３１６５４２２号公報として存在する。
【先行技術文献】
【特許文献】
【０００３】
【特許文献１】実用登録第３１６５４２２号公報
【考案の概要】
【考案が解決しようとする課題】
【０００４】
ところが、この種の携帯用飲料容器にあっては、容器本体の内筒には内筒最小径部の上方の内筒垂直部に環状突起が備えられ、有底筒体の下部外周壁には適宜の間隔を隔てて環状に配設された複数の突起片と、この突起片を上下に挟み込むように弾性材料からなる外環状パッキンが備えられ、外環状パッキンの下部の上下面用接触部は、内筒上方傾斜部に接触し、外環状パッキンの上部の水平面用接触部は、内筒垂直部に接触し、有底筒体の複数の突起片は、内筒の環状突起に無理嵌めされて接触するよう構成されているために、気密性に比べて嵌合性が優先され、容器本体内に液体を注ぎ入れるよう有底筒体を容器本体の口元より取り出す際、この有底筒体が非常に抜けにくく、一旦容器本体口元に有底筒体を嵌め込んだ後には、有底筒体を取り出せないという問題点があった。
【課題を解決するための手段】
【０００５】
本考案は、内筒２と外筒３とからる真空二重瓶の容器本体１ａと、容器本体１ａの口元内側に装着し、かつ下部外周に弾性材料からなる外環状パッキン９を有する有底筒体４と、容器本体の口元を覆って容器本体口元外側に螺着する蓋体５とを備え、内筒２が有底の内筒胴体２ａと、この内筒胴体２ａ上端の内筒下方傾斜部２ｂと、内筒下方傾斜部上端の内筒最小径部２ｃと、内筒最小径部上端の内筒上方傾斜部２ｄと、内筒上方傾斜部上端の内筒垂直部２ｅと、内筒垂直部下部に設けた内向環状突起６とを備え、有底筒体４が容器本体口元上方に配設される突出部４ａと、突出部下方の垂下部４ｃと、垂下部の外周壁で外環状パッキン９を支える環状突部４ｂと、有底筒体の底となり、かつ内壁周りに適宜の間隔を隔てて環状に配設した複数の飲み口１０、１０を有する底板部４ｄとを備えた携帯用飲料容器１であって、
上記外環状パッキン９は、下部外周壁に斜め内側の下向きに環状舌片９ｃと、この環状舌片の上方で上部外周壁に横向きで上下に間隔を隔てた二つの環状突出舌片９ａ、９ｂとを設け、有底筒体４を容器本体１ａ口元に嵌め込んだ状態で、環状舌片９ｃが内筒２の内筒上方傾斜部２ｄに弾性変形して接触し、二つの環状突出舌片９ａ、９ｂの下方の環状突出舌片９ｂが内筒の内向環状突起６を飛び越えてその下側の内筒垂直部２ｅに弾性変形して接触し、上方の環状突出舌片９ａが内向環状突起６の上側の内筒垂直部２ｅに弾性変形して接触する構成としている。
【考案の効果】
【０００６】
本考案は、従来の問題点を解決したものであって、容器本体口元と有底筒体との気密性及び嵌合性に優れ、有底筒体の着脱を極めてスムーズに行うことができると共に容器本体内の飲料の染み出しを確実に防ぐことができる携帯用飲料容器を提供するにある。
【図面の簡単な説明】
【０００７】
【図１】本考案実施例の正面図。
【図２】本考案実施例の縦断面図。
【図３】本考案実施例の上部縦断面図。
【図４】本考案実施例の要部を示す一部縦断面図。
【図５】本考案実施例の上部分解縦断面図。
【考案を実施するための形態】
【０００８】
携帯用飲料容器１は、金属製の内筒２と金属製の外筒３とからなる容器本体１ａと、容器本体１ａの口元内側に装着する有底筒体４と、容器本体１ａの口元外側に螺着する蓋体５とから構成されている。
【０００９】
容器本体１ａの内筒２は、図２及び図３又は図５に示すように、ステンレス等の金属材料にて有底筒状に形成されており、内筒胴体２ａと、この内筒胴体２ａの上端を上方に向けて内側にすぼめた内筒下方傾斜部２ｂと、この内筒下方傾斜部２ｂの上端より上方に延びた内筒最小径部２ｃと、この内筒最小径部２ｃの上端より上方に向けてわずかに拡がり延びた内筒上方傾斜部２ｄと、この内筒上方傾斜部２ｄの先端より上方に向けて延びた内筒垂直部２ｅとが一体的に形成されている。
この内筒２の内筒垂直部２ｅの内側には、図５に示すように、一つの内向環状突起６を設けている。
【００１０】
容器本体１ａの外筒３は、図２又は図５に示すように、内筒２と同一材料であるステンレス等の金属材料にて間隔を設けて内筒２を囲むように有底筒状に形成されており、外筒胴体３ａと、この外筒胴体３ａの上端を上方に向けて内側にすぼめた外筒傾斜部３ｂと、この外筒傾斜部３ｂの上端より上方に延びた外筒小径部３ｃと、この外筒小径部３ｃの上端より更に内側にすぼめてその先端が上方に延びた外筒口元接合部３ｄとが一体的に形成されている。
【００１１】
この外筒小径部３ｃの外側壁には、後述の蓋体５の雌ネジを螺着する雄ネジ７が刻設されている。
容器本体１ａの外筒３の外筒口元接合部３ｄと内筒２の内筒垂直部２ｅの上端部とは、図２又は図５に示すように、重ね合わされて溶接され、容器本体１ａの口元とされており、この外筒３と内筒２との隙間は、真空引きされている。
【００１２】
有底筒体４には、  図３又は図５に示すように、上部に突出部４ａと、この突出部４ａの突出部下方の垂下部４ｃと、垂下部の外周壁で外環状パッキン９を支える環状突部４ｂと、有底筒体の底となり、かつ内壁周りに適宜の間隔を隔てて環状に配設した複数の飲み口１０、１０を有する底板部４ｄとが一体的に形成されている。
【００１３】
有底筒体４の垂下部４ｃの外周壁である環状突部４ｂ周りには、図３及び図５に示すように、外環状パッキン９が嵌め込まれている。
この外環状パッキン９は、弾性材料にて下部外周壁に斜め内側の下向きに環状舌片９ｃと、この環状舌片の上方で上部外周壁に横向きで上下に間隔を隔てた二つの環状突出舌片９ａ、９ｂとを一体的に形成している。
【００１４】
この外環状パッキン９では、図４に示すように、有底筒体４を容器本体１ａ口元に嵌め込んだ状態で、環状舌片９ｃが内筒２の内筒上方傾斜部２ｄに弾性変形して接触し、二つの環状突出舌片９ａ、９ｂの下方の環状突出舌片９ｂが内筒の内向環状突起６を飛び越えてその下側の内筒垂直部２ｅに弾性変形して接触し、上方の環状突出舌片９ａが内向環状突起６の上側の内筒垂直部２ｅに弾性変形して接触している。
【００１５】
即ち、弾性材料からなる外環状パッキン９では、図４に示すように、環状舌片９ｃ及び二つの環状突出舌片９ａ、９ｂを除いた外環状パッキンの外周壁と内筒の内周壁とは、全く接触することがなく、上記環状舌片９ｃ及び二つの環状突出舌片９ａ、９ｂのそれぞれが弾性変形して内筒２の内筒上方傾斜部２ｄ及び内筒垂直部２ｅと接触することとなるために、より気密性に優れ、しかも弾力性に富み取り外し、取り付けを極めて容易にしている。
【００１６】
又、容器本体１ａ内の液体は、容器本体を傾けても内筒上方傾斜部２ｄに弾性変形して接触した外環状パッキン９の環状舌片９ｃによって阻止され、万一この環状舌片９ｃと内筒上方傾斜部２ｄとの間を液滴が通り抜けたとしても、下方の環状突出舌片９ｂと内筒垂直部２ｅとの接触更には上方の環状突出舌片９ａと内筒垂直部２ｅとの接触によって確実に漏れを阻止することができる。
【００１７】
蓋体５は、図３又は図５に示すように、容器本体１ａの口元に被さった有底筒体４を上方より覆う蓋部材１１と、蓋部材１１の上端を覆う蓋カバー１２と、有底筒体４の突出部４ａ内壁面又は垂下部４ｃの上部と密に接触する内環状パッキン１３とからなっている。
１４は、断熱材である。
【００１８】
蓋体５の蓋部材１１には、図３又は図５に示すように、内壁下端に容器本体１ａの外筒３に設けた雄ネジ７に螺着する雌ネジ１５を刻設している。蓋部材１１の内壁下部周りには、内環状パッキン１３が張設されており、有底筒体４の突出部４ａ、又は垂下部４ｃの内側壁に密に接触している。
【００１９】
次に、容器本体１ａ内の飲料を直飲みするには、蓋体５を容器本体１ａより螺子外せば、有底筒体４の突出部４ａに口をつけて飲むことができる。その際、容器本体１ａ内に入れられた氷は、有底筒体４の底板部４ｄに邪魔されて飲料と共に排出されることはない。
【００２０】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２１】
１…携帯用飲料容器
１ａ…容器本体
２…内筒
２ａ…内筒胴体
２ｂ…内筒下方傾斜部
２ｃ…内筒最小径部
２ｄ…内筒上方傾斜部
２ｅ…内筒垂直部
３…外筒
３ａ…外筒胴体
３ｂ…外筒傾斜部
３ｃ…外筒小径部
３ｄ…外筒口元接合部
４…有底筒体
４ａ…突出部
４ｂ…環状突部
４ｃ…垂下部
４ｄ…底板部
５…蓋体
６…内向環状突起
７…雄ネジ
９…外環状パッキン
９ａ…上の環状突出舌片
９ｂ…舌の環状突出舌片
９ｃ…環状舌片
１０，１０…飲み口
１１…蓋部材
１２…蓋カバー
１３…内環状パッキン
１４…断熱材
１５…雌ネジ
【図１】
0003171801.tif 000003
【図２】
0003171801.tif 000004
【図３】
0003171801.tif 000005
【図４】
0003171801.tif 000006
【図５】
0003171801.tif 000007